(57)【要約】【課題】    戸当りのがたつきを防止して良好な取付状態を維持することができるサッシ窓を提供すること。【解決手段】下枠１２のレール部１２５間、またはレール部１２５と側壁部１２８，１２９との間に隙間用部材３１，３２，３３を着脱自在に取り付け、この隙間用部材３１の縦枠１３側の端部に戸当り４２を設け、この戸当り４２の弾性部によって隙間用部材３１が戸当り４２と離間する方向に付勢されるとともに、戸当り４２が縦枠１３側に付勢されるので、がたつきなく戸当り４２を下枠１２に取り付け、取付状態を良好に維持することができる。さらに、戸当り本体部４２Ａが縦枠１３の側面に当接しているので、障子開放時の衝突力を戸当り本体部４２Ａから縦枠１３に直接伝達することができる。【選択図】  図９
2005083152.tif 000002
【特許請求の範囲】
【請求項１】
上枠、下枠、および左右の縦枠を有する窓枠と、この窓枠内側に開閉自在に支持された室内側および室外側の引違い形式の障子とを備えたサッシ窓であって、
前記下枠には、前記室内外の各障子の戸車を案内する室内側および室外側のレール部が当該下枠の長手方向略全長に渡って設けられるとともに、これら室内外の各レール部間、またはレール部と当該下枠において当該レール部と略平行に設けられた側壁部との間には、前記下枠の長手方向に沿って延びる隙間用部材が着脱自在に取り付けられており、
前記隙間用部材における前記縦枠側の端部には、前記障子を開放した際に当該障子が前記縦枠に衝突することを防止する戸当りが、当該戸当りまたは隙間用部材の少なくとも一方側に設けた弾性部を介して設けられ、
前記戸当りには、前記縦枠の側面に当接する戸当り本体部が設けられ、
前記隙間用部材および戸当りの前記下枠への取り付けの際に、前記弾性部が変形して弾性力が生じ、この弾性力により前記隙間用部材が前記戸当りと離間する方向に付勢されるとともに、前記戸当り本体部が前記縦枠に向かって付勢されるサッシ窓。
【請求項２】
前記隙間用部材には、前記障子に当接する横気密材が設けられ、前記左右の縦枠には、前記障子の戸先框に当接する縦気密材が設けられており、
前記戸当りは、前記横気密材と縦気密材とを連結する気密材連結部を有している請求項１に記載のサッシ窓。
【請求項３】
前記下枠は、前記レール部を支持する支持面部を有し、この支持面部には、当該支持面部上の水を排水するための排水孔が設けられており、
前記隙間用部材の端部に取り付けられる戸当りのうち、前記室内側の障子と前記縦枠との衝突を防止する室内側の戸当りは、前記排水孔の上方に設置されるとともに、排水孔の上方から当該戸当りの室外側側面までを連通させる通気部を有している請求項１または請求項２に記載のサッシ窓。
【請求項４】
上枠、下枠、および左右の縦枠を有する窓枠と、この窓枠に固定された固定面材と、この固定面材の室外側または室内側で開閉自在に前記窓枠内側に支持された片引き形式の障子とを備えたサッシ窓であって、
前記下枠には、当該下枠の長手方向略全長に渡って設けられ、前記障子の戸車を案内するレール部と、このレール部の室内側および室外側の少なくとも一方に当該レール部と略平行に設けられた側壁部とが設けられ、これらのレール部と側壁部との間には、前記下枠の長手方向に沿って延びる隙間用部材が着脱自在に取り付けられており、
前記隙間用部材における前記縦枠側の端部には、前記障子を開放した際に当該障子が前記縦枠に衝突することを防止する戸当りが、当該戸当りまたは隙間用部材の少なくとも一方側に設けた弾性部を介して設けられ、
前記戸当りには、前記縦枠の側面に当接する戸当り本体部が設けられ、
前記隙間用部材および戸当りの前記下枠への取り付けの際に、前記弾性部が変形して弾性力が生じ、この弾性力により前記隙間用部材が前記戸当りと離間する方向に付勢されるとともに、前記戸当り本体部が前記縦枠に向かって付勢されるサッシ窓。
【請求項５】
上枠、下枠、および左右の縦枠を有する窓枠と、この窓枠内側に開閉自在に支持された室内側および室外側の引違い形式の障子とを備えたサッシ窓であって、
前記下枠には、前記室内外の各障子の戸車を案内する室内側および室外側のレール部材が当該下枠の長手方向に沿って、下枠に対して着脱自在に取り付けられており、
前記レール部材における前記縦枠側の端部には、前記障子を開放した際に当該障子が前記縦枠に衝突することを防止する戸当りが、当該戸当りまたはレール部材の少なくとも一方側に設けた弾性部を介して設けられ、
前記戸当りには、前記縦枠の側面に当接する戸当り本体部が設けられ、
前記レール部材および戸当りの前記下枠への取り付けの際に、前記弾性部が変形して弾性力が生じ、この弾性力により前記レール部材が前記戸当りと離間する方向に付勢されるとともに、前記戸当り本体部が前記縦枠に向かって付勢されるサッシ窓。
【請求項６】
上枠、下枠、および左右の縦枠を有する窓枠と、この窓枠に固定された固定面材と、この固定面材の室外側または室内側で開閉自在に前記窓枠内側に支持された片引き形式の障子とを備えたサッシ窓であって、
前記下枠には、前記障子の戸車を案内するレール部材が当該下枠の長手方向に沿って、下枠に対して着脱自在に取り付けられており、
前記レール部材における前記縦枠側の端部には、前記障子を開放した際に当該障子が前記縦枠に衝突することを防止する戸当りが、当該戸当りまたはレール部材の少なくとも一方側に設けた弾性部を介して設けられ、
前記戸当りには、前記縦枠の側面に当接する戸当り本体部が設けられ、
前記レール部材および戸当りの前記下枠への取り付けの際に、前記弾性部が変形して弾性力が生じ、この弾性力により前記レール部材が前記戸当りと離間する方向に付勢されるとともに、前記戸当り本体部が前記縦枠に向かって付勢されるサッシ窓。
【発明の詳細な説明】
【技術分野】
【０００１】
本発明は、サッシ窓に関する。詳しくは、引違い窓や片引き窓等のサッシ窓であって、障子と縦枠との衝突を防止する戸当りを備えたサッシ窓に関する。
【背景技術】
【０００２】
住宅等のテラスやバルコニー等に面した外壁位置には、居住者が室内からテラス等に出入りするための掃出し窓が設けられている。このような掃出し窓としては、外壁に固定された窓枠と、この窓枠内にスライド自在に支持された可動障子とを備えた、引違い窓や片引き窓等が一般的である。
一方、近年、居住者の高齢化や、車いす利用者の利便性等に配慮したバリアフリータイプの掃出し窓が提案されている（例えば、特許文献１参照）。
【０００３】
特許文献１に記載された掃出し窓の下枠は、下枠本体と、障子を案内するガイドレールとしての機能を有する目板材（上面フラット部材）とを備えて構成され、この目板材の上面が略水平に形成されている。従って、目地板の上面がほぼフラットになるように形成されていて段差が無いため、居住者や車いすは下枠上をスムーズに通過することができる。
そして、目板材は下枠本体に脱着可能に取り付けられており、片側に寄せた障子の反対側の目板材を外せば、下枠本体の内部を掃除することができるようになっている。
また、特許文献１の掃出し窓では、目板材の縦枠側の端部に目板材着脱用のツマミ部材が取り付けられており、このツマミ部材が障子開放時の移動範囲を規制して、障子と縦枠との衝突を防止する戸当り（ストッパ）を兼用している。
【０００４】
【特許文献１】特許第３３３２９１４号公報
【発明の開示】
【発明が解決しようとする課題】
【０００５】
しかしながら、前記特許文献１に記載の掃出し窓では、目板材の端部に戸当りがビス止め固定され、かつ戸当りの縦枠側に弾性片が設けられ、この弾性片を縦枠側面に当接させているため、障子開放時に障子が戸当りに衝突した際に戸当りに加わる力は、弾性片を介して縦枠に伝達されることになり、この力が大きいと弾性片が破損してしまう可能性がある。
また、日常の障子の開閉操作により弾性片に繰り返し力が加わることで、弾性片が変形してその弾性力を失ってしまうことで、戸当りおよび目板材を付勢できず、これらと下枠との間にがたつきが発生するという問題もある。しかも、この戸当りに加わる力の方向は、弾性片により戸当りが付勢される方向とは正反対な方向のため、弾性片への負荷は大きくなってしまう。
【０００６】
本発明の目的は、戸当りのがたつきを防止して良好な取付状態を維持することができるサッシ窓を提供することにある。
【課題を解決するための手段】
【０００７】
本発明のサッシ窓は、上枠、下枠、および左右の縦枠を有する窓枠と、この窓枠内側に開閉自在に支持された室内側および室外側の引違い形式の障子とを備えたサッシ窓であって、前記下枠には、前記室内外の各障子の戸車を案内する室内側および室外側のレール部が当該下枠の長手方向略全長に渡って設けられるとともに、これら室内外の各レール部間、またはレール部と当該下枠において当該レール部と略平行に設けられた側壁部との間には、前記下枠の長手方向に沿って延びる隙間用部材が着脱自在に取り付けられており、前記隙間用部材における前記縦枠側の端部には、前記障子を開放した際に当該障子が前記縦枠に衝突することを防止する戸当りが、当該戸当りまたは隙間用部材の少なくとも一方側に設けた弾性部を介して設けられ、前記戸当りには、前記縦枠の側面に当接する戸当り本体部が設けられ、前記隙間用部材および戸当りの前記下枠への取り付けの際に、前記弾性部が変形して弾性力が生じ、この弾性力により前記隙間用部材が前記戸当りと離間する方向に付勢されるとともに、前記戸当り本体部が前記縦枠に向かって付勢されることを特徴とする。
【０００８】
ここで、隙間用部材は、下枠の長手方向全長に渡って一本の部材で構成されてもよく、また、二本以上の部材に分割されていてもよい。隙間用部材が二本に分割される場合には、戸当りが取り付けられていない方の端縁は、下枠に係止されていてもよく、また、下枠に取り付けられた部材（例えば、風止板等）に当接されていてもよく、さらに、他の隙間用部材の端縁に当接されていてもよい。
【０００９】
このような構成によれば、下枠のレール部間に隙間用部材を取り付けることで、レール部間の溝を小さくして、バリアフリー対応の引違い窓を構成することができる。
また、戸当りおよび隙間用部材の取付時に、戸当りまたはレール部材の一方側に設けられた弾性部が他方側を押圧することで、戸当り本体部が縦枠側に付勢されるとともに、レール部材が戸当りと離間する方向に付勢されるので、戸当りをがたつきなく下枠に取り付けることができ、不用意に外れることがなく、取付状態を良好に維持することができる。さらに、戸当り本体部が縦枠の側面に当接しているので、障子開放時における障子の衝突力を戸当り本体部から縦枠に直接伝達することができ、戸当りを障子ストッパとして確実に機能させることができる。この際、戸当りは、従来の戸当りのように弾性片を介して衝突力を伝達する構造ではないため、破損の心配がなく、また変形による付勢力の低下に起因するがたつきを防止することができる。
【００１０】
この際、本発明のサッシ窓では、前記隙間用部材には、前記障子に当接する横気密材が設けられ、前記左右の縦枠には、前記障子の戸先框に当接する縦気密材が設けられており、前記戸当りは、前記横気密材と縦気密材とを連結する気密材連結部を有していることが好ましい。
このような構成によれば、障子に当接する縦気密材と横気密材とが、戸当りの気密材連結部を介して接続されるので、縦、横の気密材の交差位置において気密ラインを連続させることができる。従って、縦、横の気密材の交差位置から室内側への雨水等のしぶきや外気の流入を防止して、サッシ窓の水密性、気密性を向上させることができる。
【００１１】
さらに、本発明のサッシ窓では、前記下枠は、前記レール部を支持する支持面部を有し、この支持面部には、当該支持面部上の水を排水するための排水孔が設けられており、前記隙間用部材の端部に取り付けられる戸当りのうち、前記室内側の障子と前記縦枠との衝突を防止する室内側の戸当りは、前記排水孔の上方に設置されるとともに、排水孔の上方から当該戸当りの室外側側面までを連通させる通気部を有していることが好ましい。
このような構成によれば、下枠の支持面部に設けられた排水孔の上方に室内側の戸当りを配置することで、排水孔から支持面部上側に外気が吹き込んだとしても、排水孔が戸当りで覆われているとともに、排水孔の上方が通気部によって戸当りの室外側側面に連通しているため、支持面部上の水が室内側にしぶくことがなく、水密性を確保することができる。
【００１２】
また、本発明のサッシ窓は、上枠、下枠、および左右の縦枠を有する窓枠と、この窓枠に固定された固定面材と、この固定面材の室外側または室内側で開閉自在に前記窓枠内側に支持された片引き形式の障子とを備えたサッシ窓であって、前記下枠には、当該下枠の長手方向略全長に渡って設けられ、前記障子の戸車を案内するレール部と、このレール部の室内側および室外側の少なくとも一方に当該レール部と略平行に設けられた側壁部とが設けられ、これらのレール部と側壁部との間には、前記下枠の長手方向に沿って延びる隙間用部材が着脱自在に取り付けられており、前記隙間用部材における前記縦枠側の端部には、前記障子を開放した際に当該障子が前記縦枠に衝突することを防止する戸当りが、当該戸当りまたは隙間用部材の少なくとも一方側に設けた弾性部を介して設けられ、前記戸当りには、前記縦枠の側面に当接する戸当り本体部が設けられ、前記隙間用部材および戸当りの前記下枠への取り付けの際に、前記弾性部が変形して弾性力が生じ、この弾性力により前記隙間用部材が前記戸当りと離間する方向に付勢されるとともに、前記戸当り本体部が前記縦枠に向かって付勢される構成としてもよい。
【００１３】
このような構成によれば、前述の引違い窓の場合と同様に、バリアフリー対応の片引き窓を構成することができる。そして、がたつきを防止して戸当りの取付状態を良好に維持することができるとともに、戸当りを障子ストッパとして確実に機能させることができる。
【００１４】
また、本発明のサッシ窓は、上枠、下枠、および左右の縦枠を有する窓枠と、この窓枠内側に開閉自在に支持された室内側および室外側の引違い形式の障子とを備えたサッシ窓であって、前記下枠には、前記室内外の各障子の戸車を案内する室内側および室外側のレール部材が当該下枠の長手方向に沿って、下枠に対して着脱自在に取り付けられており、前記レール部材における前記縦枠側の端部には、前記障子を開放した際に当該障子が前記縦枠に衝突することを防止する戸当りが、当該戸当りまたはレール部材の少なくとも一方側に設けた弾性部を介して設けられ、前記戸当りには、前記縦枠の側面に当接する戸当り本体部が設けられ、前記レール部材および戸当りの前記下枠への取り付けの際に、前記弾性部が変形して弾性力が生じ、この弾性力により前記レール部材が前記戸当りと離間する方向に付勢されるとともに、前記戸当り本体部が前記縦枠に向かって付勢される構成としてもよい。
【００１５】
このような構成によれば、前述の引違い窓の場合と同様に、がたつきを防止して戸当りの取付状態を良好に維持することができるとともに、戸当りを障子ストッパとして確実に機能させることができる。
【００１６】
さらに、本発明のサッシ窓は、上枠、下枠、および左右の縦枠を有する窓枠と、この窓枠に固定された固定面材と、この固定面材の室外側または室内側で開閉自在に前記窓枠内側に支持された片引き形式の障子とを備えたサッシ窓であって、前記下枠には、前記障子の戸車を案内するレール部材が当該下枠の長手方向に沿って、下枠に対して着脱自在に取り付けられており、前記レール部材における前記縦枠側の端部には、前記障子を開放した際に当該障子が前記縦枠に衝突することを防止する戸当りが、当該戸当りまたはレール部材の少なくとも一方側に設けた弾性部を介して設けられ、前記戸当りには、前記縦枠の側面に当接する戸当り本体部が設けられ、前記レール部材および戸当りの前記下枠への取り付けの際に、前記弾性部が変形して弾性力が生じ、この弾性力により前記レール部材が前記戸当りと離間する方向に付勢されるとともに、前記戸当り本体部が前記縦枠に向かって付勢される構成としてもよい。
【００１７】
このような構成によれば、前述の片引き窓の場合と同様に、がたつきを防止して戸当りの取付状態を良好に維持することができるとともに、戸当りを障子ストッパとして確実に機能させることができる。
【発明を実施するための最良の形態】
【００１８】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
【００１９】
〔第１実施形態〕
本発明の第１実施形態に係るサッシ窓としての引違い窓について、図１ないし図１７に基づいて説明する。
図１、図２は、本実施形態の引違い窓１０を示す縦断面図、および横断面図である。図３は、引違い窓１０が設けられた建物の一部を示す斜視図である。
【００２０】
図１ないし図３において、建物の外壁に設けられた引違い窓１０は、建物の室内空間と室外空間とを仕切るもので、気密性や水密性、遮音性等について所定の性能を有している。建物は、例えば戸建て住宅であって、引違い窓１０の室外にはテラス１が設けられており、このテラス１には、木質材料等からなるデッキ材２が敷かれている。そして、このデッキ材２と引違い窓１０との間には、雨水等を図示しない排水溝に導くグレーチング３が設けられており、これらのデッキ材２およびグレーチング３の上面は、室内床面４と略同一の高さ位置となっている。そして、引違い窓１０では、後述する下枠１２の上面も室内床面４と略同一の高さ位置でフラットに形成されている。従って、居住者が引違い窓１０を通って室内外間を往来する際に、室内外床レベルの段差がないので上り下りする必要がなく、楽に出入りできるとともに、車いすを利用する居住者であっても容易に出入りできるようになっている。すなわち、引違い窓１０は、室内外の床段差を小さくした、バリアフリータイプの掃出し窓である。
【００２１】
引違い窓１０は、それぞれアルミ押出形材製の上枠１１、下枠１２、および左右の縦枠１３を四周枠組みした窓枠１４と、この窓枠１４の内側に開閉自在に支持された１組の障子１５とを備えて構成されている。窓枠１４は、建物の外壁や柱等の躯体に固定されている。障子１５は、それぞれアルミ押出形材製の上框１６、下框１７、左右の縦框１８、および縦框１８同士を連結する中桟１９を略日字形に框組みした内部に、ガラスパネル２０を嵌め込んで構成されている。２つの障子１５は、室内側の障子１５Ａと、室外側の障子１５Ｂとが、窓枠１４の見付け方向（図２中、左右方向）略中央位置の召合せ部分２１で重なって、閉じるようになっている。
【００２２】
召合せ部分２１の縦框１８Ａ，１８Ｂには、引戸錠であるクレセント２２が設けられている。クレセント２２は、室内側の縦框１８Ａに取り付けられた回動フック２２Ａを回動し、室外側の縦框１８Ｂに取り付けられた受けフック２２Ｂに係合することで、引違い窓１０を施錠できるようになっている。
また、召合せ部分２１の縦框１８Ａ，１８Ｂ同士の間には、室内空間の気密性を確保する気密材としてのＡＴ材２３、および水切りとしての水切材２４が設けられている。これらのＡＴ材２３、水切材２４は、それぞれ室外側の縦框１８Ｂに形成された凹溝状の取付部２３Ａ，２４Ａに係合され、先端部を室内側の縦框１８Ａ側面に当接するようになっている。
【００２３】
窓枠１４の縦枠１３は、断面略コ字形の開口側を窓枠１４内側に向けて設けられ、見込み方向に沿った側壁部分の内面に、窓枠１４内方に延びるガイド片１３１を備えている。ガイド片１３１は、障子１５の縦框１８の見込み方向略中央に対応した位置に、上下方向に連続して形成されている。また、縦枠１３のガイド片１３１に対向して室内側には、障子１５の縦框１８の室内側面に当接する縦気密材としてのＡＴ材１３２が突片１３３に支持されて、取り付けられている。これにより、障子１５を閉じれば、縦框１８の室内側面がＡＴ材１３２に密接されて、気密性を確保できるようになっている。
【００２４】
下枠１２は、中空状の長尺部材で、支持面部としての下枠水平面部１２１と、室外側に略鉛直に設けられた下枠外側面部１２２と、室内側から室外側に向かって下方に傾斜した下枠底面部１２３とを備え、これらの各面で略三角形状の下枠中空部１２４が形成されている。下枠水平面部１２１は、上面が略水平に形成されており、この下枠水平面部１２１上面には、一対の障子１５に対応した２本のレール部１２５が、下枠１２の見付け方向略全長に渡って一体に形成されている。これら２本のレール部１２５は、その上面である戸車案内部１２６（図４、５）で障子１５の下框１７に取り付けられた戸車１７１を転動可能に支持している。また、下框１７には、その室内外両側面がレール部１２５の戸車案内部１２６より下側まで延びた垂下片１７２が形成されている。
【００２５】
次に、引違い窓１０の下枠１２の構造について、図４および図５に基づいて詳しく説明する。図４は、下枠１２の一部を拡大して示す斜視図であり、図５は、下枠１２を示す縦断面図である。
【００２６】
図４、５において、下枠１２のレール部１２５は、室内側レール部１２５Ａと、室外側レール部１２５Ｂとで構成され、これらの各レール部１２５は、下枠水平面部１２１上面に立設され、上方に延びる立上部１２７と、この立上部１２７の上端に連続し、略水平方向に延出する戸車案内部１２６とを備えている。室内側レール部１２５Ａは、戸車案内部１２６が立上部１２７上端から室外方向のみに延出して、断面略逆Ｌ字形に形成されている。また、室外側レール部１２５Ｂは、戸車案内部１２６が立上部１２７上端から室内外両方向に延出して、断面略Ｔ字形に形成されている。そして、戸車案内部１２６には、障子１５の戸車１７１を案内する、断面略円弧状の凹溝１２６Ａが形成されている。
なお、戸車案内部１２６の上面において、戸車１７１を案内する部分は、凹溝１２６Ａに限らず、平坦面でもよく、また、上方に突出した凸状のガイドレールでもよい。その際、凸状のガイドレールと係合する凹溝を戸車外周に形成すればよい。
【００２７】
室内側レール部１２５Ａの室内側で、下枠１２の最も室内側位置には、室内側側壁部１２８が形成され、室外側レール部１２５Ｂの室外側で、下枠１２の最も室外側位置には、室外側側壁部１２９が形成されている。これらの室内側側壁部１２８、および室外側側壁部１２９の上端は、各レール部１２５の戸車案内部１２６と略同一高さ位置に設けられている。室内側側壁部１２８の下部は、下枠水平面部１２１よりも下側まで垂下されており、この垂下された部分が躯体等に固定されるようになっている。また、室外側側壁部１２９は、下枠外側面部１２２や縦枠１３の側面よりも室外側に飛び出した位置に設けられており、この室外側側壁部１２９で図示しない網戸の下端を案内する網戸レールが構成されている。
【００２８】
室内側レール部１２５Ａと室外側レール部１２５Ｂとの間、室内側レール部１２５Ａと室内側側壁部１２８との間、および室外側レール部１２５Ｂと室外側側壁部１２９との間には、それぞれ隙間用部材３０（３１，３２，３３）が下枠１２に対して着脱自在に取り付けられている。これらの各隙間用部材３０は、下枠１２の長手方向略全長に渡って設けられている。
ここで、室内側レール部１２５Ａと室外側レール部１２５Ｂとの間に取り付けられた隙間用部材３０を中央隙間用部材３１とし、室内側レール部１２５Ａと室内側側壁部１２８との間に取り付けられた隙間用部材３０を室内側隙間用部材３２とし、室外側レール部１２５Ｂと室外側側壁部１２９との間に取り付けられた隙間用部材３０を室外側隙間用部材３３として、以下の説明を行う。
【００２９】
中央隙間用部材３１は、その上面を構成する上面部３１１と、この上面部３１１の見込み方向略中央位置から下方に延出するとともに室外側に鉤形に折れ曲がった第１溝状部３１２と、上面部３１１の室内側縁近傍から下方に延出するとともに室内側に鉤形に折れ曲がった第２溝状部３１３とを備えている。そして、中央隙間用部材３１は、下枠水平面部１２１に立設された立上片１２１Ａと、室外側レール部１２５Ｂの立上部１２７に突設された突片１２７Ａとの間に、第１溝状部３１２が挟持されて下枠１２に支持されるので、上方からレール部１２５間に挿通して、立上片１２１Ａと突片１２７Ａとの間に圧入することで下枠１２に取り付けられ、逆に上方に引き抜くことで取り外すことができるようになっている。
中央隙間用部材３１の上面部３１１は、各レール部１２５の戸車案内部１２６と略同一高さ位置に、略水平に設けられ、かつ各戸車案内部１２６の端縁との間に所定の隙間３０Ａを介して設けられている。これらの隙間３０Ａのうち、室内側の隙間３０Ａには、室内側の障子１５Ａの下框１７に設けられた室外側の垂下片１７２が挿入されている。また、室外側の隙間３０Ａには、室外側の障子１５Ａの下框１７に設けられた室内側の垂下片１７２が挿入されている。
【００３０】
室内側隙間用部材３２は、その上面を構成する上面部３２１と、この上面部３２１の室外側縁近傍から下方に延出するとともに室内側に鉤形に折れ曲がった溝状部３２２とを備えている。そして、室内側隙間用部材３２は、上方から溝状部３２２を室内側レール部１２５Ａと室内側側壁部１２８との間に圧入することで下枠１２に取り付けられ、逆に上方に引き抜くことで取り外すことができるようになっている。
室内側隙間用部材３２の上面部３２１は、室内側レール部１２５Ａの戸車案内部１２６に接して略同一高さ位置に、略水平に設けられている。そして、上面部３２１は、室内側側壁部１２８との間に所定の隙間３０Ａを介して設けられている。この隙間３０Ａには、室内側の障子１５Ａの下框１７に設けられた室内側の垂下片１７２が挿入されている。
【００３１】
室外側隙間用部材３３は、その上面を構成する上面部３３１と、この上面部３３１の見込み方向略中央位置から下方に延出するとともに室外側に鉤形に折れ曲がった第１溝状部３３２と、上面部３３１の室外側縁から下方に延出するとともに室外側に折れ曲がり第１溝状部３３２上端と連結された第２溝状部３３３と、第１溝状部３３２の室内側面から室内方向に延出するとともに上方に折れ曲がった第３溝状部３３４とを備えている。そして、室外側隙間用部材３３は、上方から第１溝状部３３２を下枠水平面部１２１に立設された立上片１２１Ｂと室外側側壁部１２９との間に圧入することで下枠１２に取り付けられ、逆に上方に引き抜くことで取り外すことができるようになっている。
室外側隙間用部材３３の上面部３３１は、室外側レール部１２５Ｂの戸車案内部１２６と略同一高さ位置に、略水平に設けられ、かつ戸車案内部１２６の端縁との間に所定の隙間３０Ａを介して設けられている。この隙間３０Ａには、室外側の障子１５Ｂの下框１７に設けられた室外側の垂下片１７２が挿入されている。また、上面部３３１と室外側側壁部１２９との間にも、網戸を案内するための隙間が設けられている。
【００３２】
一方、図５に示すように、下枠１２の室内側側壁部１２８の室外側側面には、室内側の障子１５Ａの下框１７に設けられた室内側の垂下片１７２側面に当接して、室内空間の気密性を確保するＡＴ材４０が、凹溝状の取付部に嵌合して取り付けられている。また、中央隙間用部材３１の第１溝状部３１２の室外側側面には、室外側の障子１５Ｂの下框１７に設けられた室内側の垂下片１７２側面に当接して、室内空間の気密性を確保する横気密材としてのＡＴ材４０が、凹溝状の取付部に嵌合して取り付けられている。これらのＡＴ材４０は、下枠１２の長手方向略全長に渡って設けられており、端部側において、前記した縦枠１３のＡＴ材１３２と連続し、気密ラインを形成するようになっている。
なお、ＡＴ材４０は、室内側側壁部１２８および中央隙間用部材３１の第１溝状部３１２に限らず、下框１７の垂下片１７２に設けられ、室内側側壁部１２８および中央隙間用部材３１に当接するように構成されてもよい。
【００３３】
次に、隙間用部材３０としての中央隙間用部材３１、室内側隙間用部材３２、および室外側隙間用部材３３について、図６ないし図８に基づいて詳しく説明する。図６は、下枠１２を示す平面図である。図７および図８は、それぞれ隙間用部材３０を室内側から見た斜視図である。
【００３４】
図６ないし図８において、隙間用部材３０は、下枠１２の長手方向略中央位置で二分割されており、図６中左側には、中央隙間用部材３１Ａ、室内側隙間用部材３２Ａ、および室外側隙間用部材３３Ａが配置され、図６中右側には、中央隙間用部材３１Ｂ、室内側隙間用部材３２Ｂ、および室外側隙間用部材３３Ｂが配置されている。また、左右の中央隙間用部材３１Ａ，３１Ｂの間、および室内側隙間用部材３２Ａ，３２Ｂの間には、風止板４１（中央風止板４１Ａ、室内側風止板４１Ｂ）が設けられている。この風止板４１は、下枠１２にビス止め固定されており、中央隙間用部材３１Ａおよび室内側隙間用部材３２Ａの下枠１２中央側端面が風止板４１に当接して、位置決めされている。中央隙間用部材３１Ｂおよび室内側隙間用部材３２Ｂの下枠１２中央側端面は、下枠１２に固定された係止部に当接して、位置決めされている。また、室外側隙間用部材３３の下枠１２中央側端面同士は、互いに当接して位置決めされるようになっている。
【００３５】
中央隙間用部材３１Ａ，３１Ｂの間に設けられた中央風止板４１Ａ、および室内側隙間用部材３２Ａ，３２Ｂの間に設けられた室内側風止板４１Ｂは、ともに室外側の障子１５Ｂの室内側で、障子１５を閉じた際に室内側の障子１５Ａの召合せ部分２１側端部が位置する箇所の下方に設けられている。中央風止板４１Ａは、室内側の障子１５Ａの底面、および室外側の障子１５Ｂの室内側側面に当接して設けられ、下枠水平面部１２１に設けられた連通孔１２１Ｄに隣接配置されている。そして、中央風止板４１Ａには、中央隙間用部材３１Ａに取り付けられたＡＴ材４０の端縁が当接している。また、室内側風止板４１Ｂは、室内側の障子１５Ａの下框１７底面に当接可能で、下枠水平面部１２１に設けられた連通孔１２１Ｅに隣接配置されている。そして、この室内側風止板４１Ｂには、下枠１２の室内側側壁部１２８に取り付けられたＡＴ材４０が当接している。
【００３６】
また、各中央隙間用部材３１Ａ，３１Ｂの縦枠１３側の端部には、戸当り４２，４３が設けられている。図６中、左側の戸当り（室内側の戸当り）４２は、室内側の障子１５Ａを開放した際に、召合せ部分２１の縦框１８Ａに設けられたクレセント２２が縦枠１３に衝突することを防止する、いわゆるクレセントストッパである。図６中、右側の戸当り（室外側の戸当り）４３は、室外側の障子１５Ｂを開放した際に、召合せ部分２１の縦框１８Ｂが縦枠１３に衝突することを防止する、いわゆる障子ストッパである。これらの戸当り４２，４３は、中央隙間用部材３１を下枠１２から取り外す際に、手で掴むための取手としても機能するようになっている。
【００３７】
さらに、室内側隙間用部材３２、および室外側隙間用部材３３の縦枠１３側端部には、戸当り４２または縦枠１３に当接する端部部材３４が取り付けられている。この端部部材３４は、室内側隙間用部材３２および室外側隙間用部材３３を下枠１２から取り外す際の取手としての機能を有している。端部部材３４の縦枠１３側先端部には、弾性部材３４１が設けられ、この弾性部材３４１が戸当り４２または縦枠１３の側面に当接することで、隙間用部材３２，３３が下枠１２の長手方向中央側に向かって付勢されるようになっている。
【００３８】
次に、室内側の戸当り４２について、図９ないし図１５に基づいて詳しく説明する。図９および図１０は、それぞれ下枠１２の端部位置を室外側上方から見た斜視図である。図１１および図１２は、それぞれ戸当り４２を上方から見た斜視図、および下方から見た斜視図である。図１３は、戸当り４２の一部を断面して示す下方から見た斜視図である。図１４(Ａ)〜(Ｃ)は、戸当り４２の側面図、底面図、および縦断面図である。図１５(Ａ)，(Ｂ)は、戸当り４２および中央隙間用部材３１Ａの取付方法を示す側面図である。
【００３９】
図９および図１０において、戸当り４２は、その室内側側面を室内側側壁部１２８のＡＴ材４０に当接し、縦枠１３側側面を縦枠１３の内部側面に当接して、下枠１２の端部に設置されている。そして、縦枠１３と反対側（内方側）の戸当り４２の側面には、室内側レール部１２５Ａの端縁、および室内側隙間用部材３２の端部部材３４が当接している。さらに、戸当り４２の室外側側面は、中央隙間用部材３１Ａの上面部３１１室外側端縁と見込み方向略同一位置に設けられている。また、戸当り４２は、下枠水平面部１２１に設けられた排水孔１２１Ｈの上側を覆う位置に設置されている。
【００４０】
戸当り４２の縦枠１３側および室外側の角部には、縦枠１３の突片１３３に対応した、平面視で略Ｌ字形の切り欠き４２１が形成されている。この切り欠き４２１は、突片１３３の室内側側面および先端面の二面に沿って設けられ、突片１３３に支持されたＡＴ材１３２に接触している。
また、戸当り４２の室外側側面には、室内側にへこんだ凹部４２２が形成されており、この凹部４２２の上側に把持部４２３が形成されている。この把持部４２３は、戸当り４２および中央隙間用部材３１Ａを下枠１２に対して着脱する際に掴んで操作しやすい形状になっている。
【００４１】
戸当り４２は、図１１、１２に示すように、戸当り本体部４２Ａと、この戸当り本体部４２Ａに嵌合固定された戸当り気密部４２Ｂとを備えて構成されている。戸当り本体部４２Ａは、合成樹脂製の中空状部材であって、下方および室外側に向かって開口されており、この室外側の開口部分に戸当り気密部４２Ｂが取り付けられている。戸当り気密部４２Ｂは、弾性を有したゴム等から形成され、縦枠１３の突片１３３およびＡＴ材１３２と、中央隙間用部材３１Ａに取り付けられたＡＴ材４０とに接触して設けられている。さらに、戸当り気密部４２Ｂの室外側側面は、戸当り本体部４２Ａよりも室外側に若干突出して設けられており、この室外側側面が、室外側の障子１５を閉じた状態における下框１７の垂下片１７２室内側側面に当接するようになっている。以上の戸当り気密部４２Ｂによって、本発明の気密材連結部が構成されている。
【００４２】
戸当り本体部４２Ａは、図１３、１４に示すように、中央隙間用部材３１Ａ側に突出した係合突片４２４を備え、この係合突片４２４を中央隙間用部材３１Ａの第１および第２の溝状部３１２，３１３の間に圧入することで、中央隙間用部材３１Ａに対して摺動可能に取り付けられる。また、係合突片４２４の内部側には、上端が戸当り本体部４２Ａに固定され、片持ち状に下方に延出する弾性部としての弾性突片４２５が設けられている。この弾性突片４２５は、中央隙間用部材３１Ａの第２溝状部３１３の端縁に当接して設けられ、中央隙間用部材３１Ａの長手方向に弾性変形できるようになっている。
【００４３】
また、戸当り４２の室外側には、戸当り本体部４２Ａと戸当り気密部４２Ｂ上面とで形成された開口部４２６が設けられている。この開口部４２６の内側には、図１３に示すように、室内側に延びるとともに、折れ曲がって下方に延びる中空状の通気部４２７が設けられている。この通気部４２７の下端は、下枠水平面部１２１の排水孔１２１Ｈの上方位置に開口しており、排水孔１２１Ｈ上側の下枠１２の内部空間と、戸当り４２の室外側の空間とが通気部４２７を介して連通されている。すなわち、室外空間から下枠中空部１２４に吹き込んだ外気が、排水孔１２１Ｈから上方に吹き出した際に、この吹き出した空気が通気部４２７を通って、開口部４２６から戸当り４２の室外側の空間に導かれることとなる。これにより、万一、下枠水平面部１２１上に雨水等が溜まった状態で外気が排水孔１２１Ｈから吹き出し、溜まった水がしぶいたとしても、このしぶきを戸当り４２の内部で受け止めて、室内側への水の浸入を防止できるようになっている。
【００４４】
以上の戸当り４２および中央隙間用部材３１Ａを下枠１２に取り付ける取付方法について、図１５に基づいて説明する。
先ず、戸当り４２の係合突片４２４を中央隙間用部材３１Ａの第１溝状部３１２と第２溝状部３１３との間に圧入して、戸当り４２を中央隙間用部材３１Ａに取り付ける。そして、中央隙間用部材３１Ａの戸当り４２が設けられていない方の端縁を前記中央風止板４１Ａに係止させるとともに、室内外のレール部１２５間に上方から挿入して、下枠１２の長手方向中央側から縦枠１３側に向かって順に中央隙間用部材３１Ａを下枠１２に圧入させて取り付けていく。
【００４５】
縦枠１３側において、図１５(Ａ)に示すように、戸当り４２の縦枠１３側下角部が縦枠１３の側面に当接した状態から、図１５(Ｂ)に示すように、戸当り４２を下方に押し込むと、戸当り４２の弾性突片４２５が中央隙間用部材３１Ａの端縁に押圧されて、縦枠１３側に弾性変形する。この変形により生じる弾性突片４２５の弾性力により、戸当り４２が縦枠１３の側面に向かって付勢され、かつ中央隙間用部材３１Ａが下枠１２の中央側である中央風止板４１Ａに向かって付勢される。すなわち、戸当り４２および中央隙間用部材３１Ａは、縦枠１３の側面と中央風止板４１Ａとの間に、弾性突片４２５の弾性力に応じた押圧力で挟持されて、取り付けられることになる。
【００４６】
次に、室外側の戸当り４３について、図１６および図１７に基づいて詳しく説明する。
図１６(Ａ)〜(Ｃ)は、戸当り４３の室外側から見た側面図、下枠１２の長手方向内方側から見た側面図、および底面図である。図１７(Ａ)，(Ｂ)は、戸当り４３および中央隙間用部材３１Ｂの取付方法を示す側面図である。
戸当り４３は、中央隙間用部材３１Ｂの縦枠１３側（図６中、右側）端縁に取り付けられ、縦枠１３側側面を縦枠１３の内部側面に当接して設置されている。また、戸当り４３は、室外側レール部１２５Ｂおよび中央隙間用部材３１Ｂの上側に位置し、合成樹脂製の全体略直方体中空状で下方に開口した戸当り本体部４３Ａを備えている。この戸当り本体部４３Ａの室内外両側面には、溝状にへこんだ凹部４３２が形成されており、この凹部４３２の上側に把持部４３３が形成されている。この把持部４３３は、戸当り４３および中央隙間用部材３１Ｂを下枠１２に対して着脱する際に掴んで操作しやすい形状になっている。
【００４７】
戸当り本体部４３Ａの底面には、室内側で中央隙間用部材３１Ｂの側に突出した係合突片４３４と、この係合突片４３４の室外側で片持ち状に下方に延出した弾性部としての弾性突片４３５とが設けられている。そして、係合突片４３４を中央隙間用部材３１Ｂの第１および第２の溝状部３１２，３１３の間に圧入し、弾性突片４３５先端に設けられた突部４３５Ａを中央隙間用部材３１Ｂの第１溝状部３１２に挿入することで、戸当り４３は中央隙間用部材３１Ｂに対して摺動可能に取り付けられる。また、弾性突片４３５は、中央隙間用部材３１Ｂの端縁に当接して設けられ、中央隙間用部材３１Ｂの長手方向に弾性変形できるようになっている。
【００４８】
以上の戸当り４３および中央隙間用部材３１Ｂを下枠１２に取り付ける取付方法について、図１７に基づいて説明する。
先ず、戸当り４３の係合突片４３４を中央隙間用部材３１Ｂの第１溝状部３１２と第２溝状部３１３との間に圧入し、弾性突片４３５先端の突部４３５Ａを中央隙間用部材３１Ｂの第１溝状部３１２に挿入して、戸当り４３を中央隙間用部材３１Ｂに取り付ける。そして、中央隙間用部材３１Ｂの戸当り４３が取り付けられていない方の端縁を前記連通孔１２１Ｄ（図６）近傍の下枠水平面部１２１に設けられた係止部に係止させるとともに、室内外のレール部１２５間に上方から挿入して、下枠１２の長手方向中央側から縦枠１３側に向かって順に中央隙間用部材３１Ｂを下枠１２に圧入させて取り付けていく。
【００４９】
縦枠１３側において、図１７(Ａ)に示すように、戸当り４３の縦枠１３側下角部が縦枠１３の側面に当接した状態から、図１７(Ｂ)に示すように、戸当り４３を下方に押し込むと、戸当り４３の弾性突片４３５が中央隙間用部材３１Ｂの端縁に押圧されて、縦枠１３側に弾性変形する。この変形により生じる弾性突片４３５の弾性力により、戸当り４３が縦枠１３の側面に向かって付勢され、かつ中央隙間用部材３１Ｂが下枠１２の長手方向中央側に向かって付勢される。すなわち、戸当り４３および中央隙間用部材３１Ｂは、縦枠１３の側面と下枠１２中央の係止部との間に、弾性突片４３５の弾性力に応じた押圧力で挟持されて、取り付けられることになる。
なお、以上の説明では弾性突片４２５，４３５を戸当り４２，４３に設けたが、戸当り４２，４３側に設けずに中央隙間用部材３１Ａ，３１Ｂ側に弾性部が設けてあってもよく、また、戸当り４２，４３と中央隙間用部材３１Ａ，３１Ｂの両方に弾性部が設けてあってもよい。
また、弾性部は、戸当り４２，４３や中央隙間用部材３１Ａ，３１Ｂに一体的に設けた弾性突片に限らず、ばね等の別体の弾性部であってもよい。
つまり、戸当り４２，４３および中央隙間用部材３１Ａ，３１Ｂを下枠１２に取り付けた際に、戸当り４２，４３と中央隙間用部材３１Ａ，３１Ｂとを離間させるような弾性力が働く弾性部（弾性突片４２５，４３５）を、戸当り４２，４３および中央隙間用部材３１Ａ，３１Ｂの少なくとも一方側に一体、別体を問わずに設けてあればよい。
【００５０】
このような本実施形態によれば、以下のような効果がある。
（１）下枠１２に形成したレール部１２５の戸車案内部１２６と、下枠１２に取り付けられる隙間用部材３０の上面部３１１，３２１，３３１とが略同一高さ位置に設けられるので、レール部１２５間の溝が小さく、かつ下枠１２の上面がフラットに形成された、バリアフリー対応可能な引違い窓１０を構成することができる。
【００５１】
（２）また、中央隙間用部材３１に取り付けられた戸当り４２，４３の弾性突片４２５，４３５が中央隙間用部材３１を押圧することで、戸当り本体部４２Ａ，４３Ａが縦枠１３側に付勢されるので、がたつきなく下枠１２に取り付けることができ、不用意に外れることがなく、取付状態を良好に維持することができる。
【００５２】
（３）さらに、戸当り本体部４２Ａ，４３Ａが縦枠１３の側面に当接しているので、障子１５開放時における障子１５の衝突力を戸当り本体部４２Ａ，４３Ａから縦枠１３に直接伝達することができ、クレセントストッパ、または障子ストッパとしての機能を確保することができる。この際、従来の戸当りのように弾性片を介して衝突力を伝達する構造ではないため、戸当り本体部４２Ａ，４３Ａや弾性突片４２５，４３５が破損する心配がなく、また変形による付勢力の低下に起因するがたつきを防止することができる。
【００５３】
（４）また、室内側の戸当り４２において、室外側の障子１５Ｂの室内側側面に当接する縦枠１３のＡＴ材１３２と中央隙間用部材３１のＡＴ材４０とが、戸当り気密部４２Ｂを介して接続されるので、縦、横のＡＴ材１３２，４０の交差位置において気密ラインを連続させることができる。従って、縦、横のＡＴ材１３２，４０の交差位置から室内側への雨水等のしぶきや外気の流入を防止して、引違い窓１０の水密性、気密性を向上させることができる。
【００５４】
（５）さらに、室内側の戸当り４２を下枠水平面部１２１の排水孔１２１Ｈの上方に配置することで、外気圧が高く排水孔１２１Ｈから下枠水平面部１２１上側に外気が吹き込んだとしても、排水孔１２１Ｈが戸当り４２で覆われているとともに、排水孔１２１Ｈの上方が通気部４２７によって戸当り４２の室外側側面に連通しているため、下枠水平面部１２１上の水が室内側にしぶくことがなく、水密性を確保することができる。
【００５５】
（６）また、戸当り４２，４３に把持部４２３，４３３を設けたので、この把持部４２３，４３３を把持して戸当り４２，４３および中央隙間用部材３１を着脱することで、これらの下枠１２への取り付け、または取り外しが容易に実行できる。
【００５６】
（７）また、隙間用部材３０を取り外して、戸車案内部１２６同士の間の隙間を大きくすることで、レール部１２５を取り外すことなくレール部１２５間の清掃ができるので、清掃時に障子１５が脱落する不安もなく、清掃作業を安心して実行することができる。
【００５７】
（８）また、下枠１２のレール部１２５や立上片１２１Ａ，１２１Ｂ、レール部１２５の突片１２７Ａ、室内側および室外側の側壁部１２８，１２９の間に隙間用部材３０を圧入して取り付けることで、ビス等を用いなくても簡単かつ確実に隙間用部材３０を下枠１２に取り付けることができるので、通常使用時においては、不用意に外れることがなく、清掃時には、居住者が簡単に隙間用部材３０を脱着することができる。
【００５８】
（９）また、隙間用部材３０を下枠１２の長手方向略中間位置で二分割したので、障子１５を窓枠１４の見付け方向一方側に移動させた状態で、分割された他方側の隙間用部材３０（３１Ａ，３２Ａ，３３Ａ）を脱着でき、また、障子１５を他方側に寄せれば、一方側の隙間用部材３０（３１Ｂ，３２Ｂ，３３Ｂ）を脱着できるので、窓枠１４から障子１５を外さなくても隙間用部材３０を容易に脱着することができる。
【００５９】
〔第２実施形態〕
次に、本発明の第２実施形態に係るサッシ窓としての片引き窓について、図１８ないし図２３に基づいて説明する。
図１８、図１９は、本実施形態の片引き窓５０を示す縦断面図、および横断面図である。図２０は、片引き窓５０を構成する下枠５２の縦断面図である。図２１は、下枠５２を示す平面図である。
本実施形態の片引き窓５０は、開閉可能な障子が１枚で構成された点が前述の第１実施形態と相違し、それ以外の構成は略同様である。以下、相違点について詳しく説明する。
【００６０】
図１８および図１９において、片引き窓５０は、それぞれアルミ押出形材製の上枠５１、下枠５２、および左右の縦枠５３を四周枠組みした窓枠５４と、この窓枠５４の内側に開閉自在に支持された１つの障子５５と、窓枠５４の内側に固定された固定面材としての固定障子６１とを備えて構成されている。障子５５は、それぞれアルミ押出形材製の上框５６、下框５７、左右の縦框５８、および縦框５８同士を連結する中桟５９を略日字形に框組みした内部に、ガラスパネル６０を嵌め込んで構成されている。固定障子６１は、左右の縦框としての縦骨６２およびガラス支持材６３と、縦骨６２およびガラス支持材６３を連結する中桟６４と、上枠５１、下枠５２、縦骨６２、ガラス支持材６３、および中桟６４で囲まれた内部に嵌め込まれたガラスパネル６０とで構成されている。なお、固定障子６１のガラス支持材６３は、室外側のアタッチメントと、室内側の押縁とから構成されている。
【００６１】
障子５５は、固定障子６１の室外側面に沿って開閉移動できるようになっており、窓枠５４の見付け方向略中央位置の召合せ部分６５で固定障子６１の縦骨６２と重なって、閉じるようになっている。召合せ部分６５の縦框５８および縦骨６２には、引戸錠であるクレセント２２が設けられている。
また、召合せ部分６５の縦框５８と縦骨６２の間には、室内空間の気密性を確保するＡＴ材２３、および水切りとしての水切材２４が設けられている。これらのＡＴ材２３および水切材２４は、それぞれ室外側の縦框５８の取付部２３Ａ，２４Ａに係合され、先端部を固定障子６１の縦骨６２側面に当接するようになっている。縦骨６２は、上枠５１および下枠５２間に架設され、上下端部が上枠５１および下枠５２に固定されている。ガラス支持材６３は、縦枠１３に沿って設置され、縦枠１３にビス止め固定されている
【００６２】
縦枠５３のうち、障子５５を閉じたときに縦框５８が当接する側（図１９中、左側、固定障子６１の反対側）の縦枠５３は、見込み方向に沿った側壁部分の内面に、ガイド片５３１と、縦框５８の室内側面に当接するＡＴ材５３２と、このＡＴ材５３２を保持する突片５３３とを備えている。これにより、障子５５を閉じれば、縦框５８の室内側面にＡＴ材５３２が当接して、片引き窓５０の気密性を確保できるようになっている。
【００６３】
下枠５２は、図２０に示すように、支持面部としての下枠水平面部５２１と、下枠外側面部５２２と、下枠底面部５２３とを備え、これらの各面で下枠中空部５２４が形成されている。下枠水平面部５２１は、上面が略水平に形成されており、この下枠水平面部５２１上面には、障子５５に対応した１本のレール部５２５が、下枠５２の見付け方向略全長に渡って一体に形成されている。レール部５２５は、その上面である戸車案内部５２６で障子５５の下框５７に取り付けられた戸車５７１を転動可能に支持している。また、下框５７には、その室内外両側面がレール部５２５の戸車案内部５２６より下側まで延びた垂下片５７２が形成されている。
レール部５２５は、下枠水平面部５２１上面に立設され、上方に延びる立上部５２７と、この立上部５２７の上端に連続し、略水平方向に延出する戸車案内部５２６とを備えている。戸車案内部５２６は、立上部５２７上端から室外方向のみに延出しており、レール部５２５は、断面略逆Ｌ字形に形成されている。そして、戸車案内部５２６には、障子５５の戸車５７１を案内する、断面略円弧状の凹溝５２６Ａが形成されている。
【００６４】
また、レール部５２５の室内側には、固定障子６１に対応したパネル保持部５２８が形成され、このパネル保持部５２８にシール材を介してガラスパネル６０が保持されている。パネル保持部５２８は、上方に開口した断面略コ字形に形成されており、固定障子６１が固定されていない側のパネル保持部５２８には、カバー部材６６が取り付けられている。また、パネル保持部５２８のレール部５２５に対向した側面は、室内側側壁部５２８Ａとなっており、下框５７の室内側の垂下片５７２に当接するＡＴ材４０が下枠５２長手方向に連続して取り付けられている。そして、レール部５２５と室内側側壁部５２８Ａとの間には、隙間用部材３０が介挿されている。この隙間用部材３０は、前記した室内側隙間用部材３２と同様の構成となっている。すなわち、室内側隙間用部材３２は、図２１中、左側の室内側隙間用部材３２Ａと、図２１中、右側の室内側隙間用部材３２Ｂとで構成されている。図２１中、右側の室内側隙間用部材３２Ｂにおける縦枠５３側端部には、戸当り４４が取り付けられている。
【００６５】
レール部５２５の室外側で、下枠５２の最も室外側位置には、室外側側壁部５２９が形成されている。この室外側側壁部５２９の上端は、レール部５２５の戸車案内部５２６と略同一高さ位置に設けられている。レール部５２５と室外側側壁部５２９との間には、隙間用部材３０が介挿されている。この隙間用部材３０は、前記した室外側隙間用部材３３と同様の構成となっている。すなわち、室外側隙間用部材３３は、図２１中、左側の室外側隙間用部材３３Ａと、図２１中、右側の室外側隙間用部材３３Ｂとで構成されている。
【００６６】
次に、戸当り４４について、図２２および図２３に基づいて詳しく説明する。
図２２(Ａ)〜(Ｃ)は、戸当り４４の側面図、縦断面図、および底面図である。図２３(Ａ)，(Ｂ)は、戸当り４４および室内側隙間用部材３２Ｂの取付方法を示す側面図である。
戸当り４４は、障子５５を開放した際に、召合せ部分６５の縦框５８が縦枠５３に衝突することを防止する、いわゆる障子ストッパである。この戸当り４４は、室内側隙間用部材３２Ｂを下枠１２から取り外す際に、手で掴むための取手としても機能するようになっている。
戸当り４４は、室内側隙間用部材３２Ｂの縦枠５３側（図２１中、右側）端縁に取り付けられ、縦枠５３側側面を縦枠５３の内部側面に当接して設置されている。また、戸当り４４は、レール部５２５および室内側側壁部５２８Ａの上側に位置し、合成樹脂製の全体略直方体中空状で下方に開口した戸当り本体部４４Ａを備えている。この戸当り本体部４４Ａの室外側面には、室内側に向かってへこんだ凹部４４２が形成されており、この凹部４４２の上側に把持部４４３が形成されている。この把持部４４３は、戸当り４４および室内側隙間用部材３２Ｂを下枠５２に対して着脱する際に掴んで操作しやすい形状になっている。
【００６７】
戸当り本体部４４Ａの底面には、室内側隙間用部材３２Ｂ側およびその反対側の両側に突出した係合突片４４４と、片持ち状に下方に延出した弾性部としての２本の弾性突片４４５とが設けられている。２本の弾性突片４４５は、戸当り本体部４４Ａの室内側隙間用部材３２Ｂ側およびその反対側の両側に左右対称に設けられている。そして、室内側隙間用部材３２Ｂ側の係合突片４４４を室内側隙間用部材３２Ｂの上面部３２１と溝状部３２２との間に圧入することで、戸当り４４は室内側隙間用部材３２Ｂに対して摺動可能に取り付けられる。また、室内側隙間用部材３２Ｂ側の弾性突片４４５は、室内側隙間用部材３２Ｂの端縁に当接して設けられ、室内側隙間用部材３２Ｂの長手方向に弾性変形できるようになっている。
【００６８】
以上の戸当り４４および室内側隙間用部材３２Ｂを下枠５２に取り付ける取付方法について、図２３に基づいて説明する。
先ず、戸当り４４の係合突片４４４を室内側隙間用部材３２Ｂの上面部３２１と溝状部３２２との間に圧入して、戸当り４４を室内側隙間用部材３２Ｂに取り付ける。そして、室内側隙間用部材３２Ｂの戸当り４４が取り付けられていない方の端縁を下枠水平面部５２１に設けられた係止部に係止させるとともに、レール部５２５と室内側側壁部５２８Ａとの間に上方から挿入して、下枠５２の長手方向中央側から縦枠５３側に向かって順に室内側隙間用部材３２Ｂを下枠５２に圧入させて取り付けていく。
【００６９】
縦枠５３側において、図２３(Ａ)に示すように、戸当り４４の縦枠５３側下角部が縦枠５３の側面に当接した状態から、図２３(Ｂ)に示すように、戸当り４４を下方に押し込むと、戸当り４４の弾性突片４４５が室内側隙間用部材３２Ｂの端縁に押圧されて、縦枠５３側に弾性変形する。この変形により生じる弾性突片４４５の弾性力により、戸当り４４が縦枠５３の側面に向かって付勢され、かつ室内側隙間用部材３２Ｂが下枠５２の長手方向中央側に向かって付勢される。すなわち、戸当り４４および室内側隙間用部材３２Ｂは、縦枠５３の側面と下枠５２中央の係止部との間に、弾性突片４４５の弾性力に応じた押圧力で挟持されて、取り付けられることになる。
なお、以上の説明では弾性突片４４５を戸当り４４に設けたが、戸当り４４側に設けずに室内側隙間用部材３２Ｂ側に弾性部が設けてあってもよく、また、戸当り４４と室内側隙間用部材３２Ｂの両方に弾性部が設けてあってもよい。
また、弾性部は、戸当り４４や室内側隙間用部材３２Ｂに一体的に設けた弾性突片に限らず、ばね等の別体の弾性部であってもよい。
つまり、戸当り４４および室内側隙間用部材３２Ｂを下枠５２に取り付けた際に、戸当り４４と室内側隙間用部材３２Ｂとを離間させるような弾性力が働く弾性部（弾性突片４４５）を、戸当り４４および室内側隙間用部材３２Ｂの少なくとも一方側に一体、別体を問わずに設けてあればよい。
【００７０】
また、以上の本実施形態において、片引き窓５０は、固定障子６１が室内側から見て右側（図１９中、右側）に設けられ、障子５５が固定障子６１の室外側面に沿って開閉移動可能に構成されていたが、これに限らず、固定障子６１が室内側から見て左側に設けられてもよく、また、可動障子が固定障子の室内側に設けられていてもよい。固定障子６１を室内側から見て左側に設けた片引き窓では、戸当り４４の設置位置も左右反転することになるが、この場合でも、上記戸当り４４と同一の部材を設置できるようになっている。すなわち、戸当り４４は、左右いずれの側においても隙間用部材に取り付け可能であり、２本の弾性突片４４５のうち他方の弾性突片４４５に室内側隙間用部材３２Ｂを取り付けることで、片引き窓の開き勝手が変わっても、同一の戸当り４４で対応可能になっている。
【００７１】
このような本実施形態によれば、前述の効果と略同様の効果を奏する片引き窓５０を構成することができる他、以下の効果を得ることができる。
（10）戸当り４４が左右いずれの側においても隙間用部材に取り付け可能で、片引き窓５０の開き勝手が変わっても、同一の戸当り４４で対応可能なので、部品の共通化を図り、部品点数を削減することができる。
【００７２】
なお、本発明は、前記各実施形態に限定されるものではなく、本発明の目的を達成できる他の構成等を含み、以下に示すような変形等も本発明に含まれる。
例えば、前記第１実施形態の引違い窓１０では、下枠１２に２本のレール部１２５が形成されており、これら２本のレール部１２５間に中央隙間用部材３１を取り付け、レール部１２５および室内外の側壁部１２８，１２９間に、室内側および室外側の隙間用部材３２，３３を取り付けた。しかし、室内側および室外側の隙間用部材３２，３３を省略してもよく、この際、レール部１２５の戸車案内部１２６を室内側あるいは室外側に向かって延長する、または室内外の側壁部１２８，１２９にレール部１２５に向かって延びる水平面を形成してもよい。このようにすることで、下枠１２の上面をフラットに形成することができる。
さらに、戸当り４２，４３は、中央隙間用部材３１の端部に限らず、室内側隙間用部材３２や室外側隙間用部材３３の端部に取り付けてもよい。
【００７３】
また、前記第２実施形態の片引き窓５０では、下枠５２に形成した１本のレール部５２５と室内側および室外側の側壁部５２８Ａ，５２９との間に、室内側および室外側の隙間用部材３２，３３を取り付けた。しかし、室外側の隙間用部材３３を省略してもよく、この際、レール部５２５の戸車案内部５２６を室外側に向かって延長する、または室外側側壁部５２９にレール部５２５に向かって延びる水平面を形成してもよい。このようにすることで、下枠５２の上面をフラットに形成することができる。
さらに、戸当り４４は、室内側隙間用部材３２の端部に限らず、室外側隙間用部材３３の端部に取り付けてもよい。
【００７４】
また、前記実施形態では、戸当り４２，４３，４４を隙間用部材３０の端部に取り付けたが、これに限らず、下枠に対して着脱可能に構成したレール部に戸当りを取り付けてもよい。このような構成の下枠について、図２４、２５に基づいて説明する。図２４、２５は、本発明の変形例に係る下枠７２を示す平面図、および縦断面図である。
図２４、２５において、下枠７２は、前記第１実施形態の引違い窓１０の下枠１２と略同様な構成を備えており、下枠水平面部７２１と、この下枠水平面部７２１上に設けられた２本のレール部７２５と、室内側および室外側の側壁部７２８，７２９とを備えている。そして、室内側および室外側のレール部７２５Ａ，７２５Ｂ間には、中央隙間用部材３１が設けられ、室外側のレール部７２５Ｂと室外側側壁部７２９との間には、室外側隙間用部材３３が設けられている。
【００７５】
このような下枠７２において、室内側および室外側のレール部７２５Ａ，７２５Ｂが下枠７２に対して着脱自在に構成され、これらのレール部７２５Ａ，７２５Ｂに戸当り４２，４３が取り付けられている点が、前記第１実施形態の下枠１２との相違点である。すなわち、室内側および室外側のレール部７２５Ａ，７２５Ｂは、室内外の障子１５Ａ，１５Ｂの戸車１７１を案内する戸車案内部７２６と、戸車案内部７２６の下面から下方に延びる立上部７２７と、この立上部７２７の下端に連続する底面部７２７Ａとを備えて形成されている。そして、底面部７２７Ａが下枠水平面部７２１に立設された立上り片や室内側側壁部７２８の間に挟持されて、レール部７２５Ａ，７２５Ｂは、下枠水平面部７２１上に着脱自在に支持されている。
【００７６】
また、図２４に示すように、室内側および室外側のレール部７２５Ａ，７２５Ｂは、それぞれ下枠７２の長手方向に関して三分割されている。図２４中、左側の室内側レール部７２５Ａの縦枠１３側には、前記第１実施形態と略同様な戸当り４２が取り付けられ、この戸当り４２で下枠７２中央側の係止部に向かって室内側レール部７２５Ａが付勢されている。図２４中、右側の室内側レール部７２５Ａの縦枠１３側には、端部部材３４が取り付けられ、この端部部材３４で下枠７２中央側の係止部に向かって室内側レール部７２５Ａが付勢されている。図２４中、左側の室外側レール部７２５Ｂの縦枠１３側には、端部部材３４が取り付けられ、この端部部材３４で下枠７２中央側に向かって室外側レール部７２５Ｂが付勢され、下枠７２中央部分に位置する室外側レール部７２５Ｂに当接されている。図２４中、右側の室外側レール部７２５Ｂの縦枠１３側には、前記第１実施形態と略同様な戸当り４３が取り付けられ、この戸当り４３で下枠７２中央側に向かって室外側レール部７２５Ｂが付勢され、下枠７２中央部分に位置する室外側レール部７２５Ｂに当接されている。また、下枠７２中央部分に位置する室内外のレール部７２５Ａ，７２５Ｂは、下枠水平面部７２１に適宜な固着手段（例えば、ビス止め等）で固定される、または下枠水平面部７２１に一体に立設されている。
【００７７】
図２４中、左側の室内側レール部７２５Ａと戸当り４２との取り付け方法、および図２４中、右側の室外側レール部７２５Ｂと戸当り４３との取り付け方法は、前記実施形態における隙間用部材３０と戸当り４２，４３との取り付け方法と略同一である。すなわち、戸当り４２，４３に弾性部としての弾性突片を設け、この弾性突片の弾性力によりレール部７２５を下枠７２中央側に向かって付勢するとともに、戸当り４２，４３を縦枠１３側に付勢するように構成すればよい。なお、弾性部を戸当り４２，４３側に設けずに、レール部７２５側に設けてもよく、また、戸当り４２，４３とレール部７２５の両方に設けてもよい。また、弾性部として、戸当り４２，４３やレール部７２５とは別体とされたばね等を用いてもよい。
そして、戸当り４２，４３が取り付けられたレール部７２５の下枠７２への取り付けは、下枠７２中央部分に室内外のレール部７２５を固定しておき、この固定したレール部７２５に、図２４中、左右側の室内外のレール部７２５の端縁を当接させるとともに、その縦枠１３側の戸当り４２，４３または端部部材３４を縦枠１３側面に当接させて、左右側の室内外のレール部７２５を下枠７２に取り付ける。
なお、図２４、２５では、引違い窓のレール部７２５を下枠７２に対して着脱自在とした構成について説明したが、前記第２実施形態の片引き窓５０の下枠５２においても同様に、レール部５２５を下枠５２に対して着脱自在に構成し、レール部５２５の縦枠５３側に戸当り４４を取り付け、この戸当り４４でレール部５２５を下枠５２中央側に向かって付勢するという構成を採用してもよい。
【００７８】
また、前記各実施形態では、下枠１２，５２の支持面部としての下枠水平面部１２１，５２１を略水平に形成したが、これに限らず、例えば、支持面部が室外方向に下がる傾斜を有していてもよく、また、室内外方向について段差を有していてもよい。この際、前記第１実施形態の引違い窓１０のように、支持面部に複数本のレール部が形成されていれば、各々のレール部の立上部の高さ寸法を適宜調整することで、戸車案内部の高さ位置を揃えることが可能なので、下枠上面をフラットに形成することができる。
【００７９】
また、前記第１実施形態では、室内側のレール部１２５Ａを断面略逆Ｌ字形に形成し、室外側のレール部１２５Ｂを断面略Ｔ字形に形成し、また前記第２実施形態では、レール部５２５を断面略逆Ｌ字形に形成したが、レール部の断面形状はこれらに限定されない。すなわち、レール部を断面略コ字形や、戸車案内部が水平面を備えないＩ字形等に形成してもよく、その際、レール部の形状に応じて隙間用部材の大きさや形状等を適宜設定することが可能である。
また、前記各実施形態では、隙間用部材３０を下枠１２，５２に圧入して取り付けたが、これに限らず、例えば、フック付きの係止片等で隙間用部材を下枠に係止してもよく、また、ビス止め固定や固定具を用いた固定により隙間用部材を下枠に固定してもよい。
【００８０】
また、前記各実施形態では、隙間用部材３０を下枠１２，５２の長手方向略中間位置で二分割したが、これに限らず、分割しなくてもよく、また、三分割以上に分割してもよい。隙間用部材を分割しない場合、隙間用部材の脱着に際して、障子１５，５５を窓枠１４，５４から外すように構成してもよいが、隙間用部材を可撓性を有した材料から形成し、脱着に際して隙間用部材を撓ませながら下枠から引き抜くように構成することもできる。さらに、隙間用部材を三分割以上に分割した場合には、障子を窓枠見付け方向に関して片寄せしなくても、着脱できるようになるので、隙間用部材の着脱をさらに容易に実施することができるようになる。
【００８１】
また、前記各実施形態では、障子１５の下框１７の室内外両側面に垂下片１７２が形成され、これらの垂下片１７２，５７２がレール部１２５，５２５や室内側側壁部１２８，５２８Ａと隙間用部材３０との隙間３０Ａに挿通されるものとしたが、これに限らず、垂下片が下框１７の室内側のみに形成されてもよく、また、室外側のみに形成されてもよい。下框の垂下片を室内外の片側のみに形成した場合には、下枠のレール部と隙間用部材との間の隙間を設けなくてもよく、すなわち、レール部と隙間用部材とが密接して設けられていてもよい。さらに、垂下片を室内外の片側のみに形成した場合には、垂下片が形成されない側の隙間部材や側壁部を省略することが可能である。
また、下枠１２，５２に設けられた風止板４１は、本発明の必須要件ではなく、省略可能であり、また、前記各実施形態で説明した形態以外であっても、同様の機能を有する部材であれば代用することができる。ここで、風止板４１を省略した場合には、中央隙間用部材３１Ａや室内側隙間用部材３２Ａの下枠長手方向中央側端部を、下枠１２に係止部材等を介して係止させてもよく、また、中央隙間用部材３１、または室内側隙間用部材３２の下枠長手方向中央側端部同士を当接させてもよい。このようにすることで、弾性部で付勢された中央隙間用部材３１や室内側隙間用部材３２が所定の取付状態を維持できるようになる。
【００８２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００８３】
本発明は、引違い窓や片引き窓等のサッシ窓に利用可能であって、特に、下枠の上面が略フラットに形成され、室内外の床材上面との段差を小さくしたバリアフリータイプの掃出し窓に利用可能である。
【図面の簡単な説明】
【００８４】
【図１】本発明の第１実施形態に係る引違い窓を示す縦断面図である。
【図２】前記引違い窓を示す横断面図である。
【図３】前記引違い窓が設けられた建物の一部を示す斜視図である。
【図４】前記引違い窓を構成する下枠の一部を拡大して示す斜視図である。
【図５】前記下枠を示す縦断面図である。
【図６】前記下枠を示す平面図である。
【図７】前記下枠に設けられる隙間用部材を室内側から見た斜視図である。
【図８】図７とは異なる隙間用部材を室内側から見た斜視図である。
【図９】前記下枠の端部位置を室外側上方から見た斜視図である。
【図１０】前記下枠の端部位置を室外側上方から見た斜視図である。
【図１１】前記下枠の端部位置に設けられる戸当りを上方から見た斜視図である。
【図１２】前記戸当りを下方から見た斜視図である。
【図１３】前記戸当りの一部を断面して示す下方から見た斜視図である。
【図１４】(Ａ)〜(Ｃ)は、前記戸当りの側面図、底面図、および縦断面図である。
【図１５】(Ａ)，(Ｂ)は、前記戸当りおよび隙間用部材の取付方法を示す側面図である。
【図１６】(Ａ)〜(Ｃ)は、図１１〜図１５とは異なる戸当りの側面図、および底面図である。
【図１７】(Ａ)，(Ｂ)は、前記戸当りおよび隙間用部材の取付方法を示す側面図である。
【図１８】本発明の第２実施形態に係る片引き窓を示す縦断面図である。
【図１９】前記片引き窓を示す横断面図である。
【図２０】前記片引き窓を構成する下枠の縦断面図である。
【図２１】前記下枠を示す平面図である。
【図２２】(Ａ)〜(Ｃ)は、前記戸当りの側面図、縦断面図、および底面図である。
【図２３】(Ａ)，(Ｂ)は、前記戸当りおよび隙間用部材の取付方法を示す側面図である。
【図２４】本発明の変形例に係る下枠を示す平面図である。
【図２５】前記変形例の下枠を示す縦断面図である。
【符号の説明】
【００８５】
１０…サッシ窓である引違い窓、１１，５１…上枠、１２，５２，７２…下枠、１３，５３…縦枠、１４，５４…窓枠、１５，５５…障子、３０（３１，３２，３３）…隙間用部材、４０…横気密材であるＡＴ材、４２，４３，４４…戸当り、４２Ａ，４３Ａ，４４Ａ…戸当り本体部、４２Ｂ…戸当り気密部（気密材連結部）、５０…サッシ窓である片引き窓、６１…固定面材である固定障子、１２１，５２１，７２１…支持面部である下枠水平面部、１２１Ｈ…排水孔、１２５，５２５，７２５…レール部、１２８，５２８Ａ，７２８…室内側側壁部、１２９，５２９，７２９…室外側側壁部、１３２…縦気密材であるＡＴ材、１７１，５７１…戸車、４２３，４３３，４４３…把持部、４２５，４３５，４４５…弾性突片（弾性部）、４２７…通気部。
【図１】
2005083152.tif 000003
【図２】
2005083152.tif 000004
【図３】
2005083152.tif 000005
【図４】
2005083152.tif 000006
【図５】
2005083152.tif 000007
【図６】
2005083152.tif 000008
【図７】
2005083152.tif 000009
【図８】
2005083152.tif 000010
【図９】
2005083152.tif 000011
【図１０】
2005083152.tif 000012
【図１１】
2005083152.tif 000013
【図１２】
2005083152.tif 000014
【図１３】
2005083152.tif 000015
【図１４】
2005083152.tif 000016
【図１５】
2005083152.tif 000017
【図１６】
2005083152.tif 000018
【図１７】
2005083152.tif 000019
【図１８】
2005083152.tif 000020
【図１９】
2005083152.tif 000021
【図２０】
2005083152.tif 000022
【図２１】
2005083152.tif 000023
【図２２】
2005083152.tif 000024
【図２３】
2005083152.tif 000025
【図２４】
2005083152.tif 000026
【図２５】
2005083152.tif 000027